(57)【要約】商品を陳列するための棚と、商品の周囲の環境条件を制御するための空気であって、第１の条件で調整された第１の調整用空気を供給する第１の棚外の供給ダクトと、第１の条件と異なる第２の条件で調整された第２の調整用空気を供給する第２の棚外の供給ダクトとを有する収納装置を提供する。棚は第１の棚外の供給ダクトに接続される第１の接続口と、第２の棚外の供給ダクトに接続される第２の接続口と、第１の接続口および第２の接続口の上記の供給ダクトに対する開度をそれぞれ調整する開度調整手段と、第１の接続口から供給された第１の調整用空気および第２の接続口から供給された第２の調整用空気を混合して当該棚に配置された吹出口から吹き出す棚付きの供給ダクトとを備えている。棚毎に調整用空気の条件を自由に設定して商品に調整用空気を供給できる収納装置を提供できる。
2005001350.tif 000002
【特許請求の範囲】
【請求項１】
商品を陳列するための棚と、
前記商品の周囲の環境条件を制御するために、第１の条件で調整された第１の調整用空気を供給する第１の棚外の供給ダクトと、
前記第１の条件と異なる第２の条件で調整された第２の調整用空気を供給する第２の棚外の供給ダクトとを有する収納装置であって、
前記棚は、前記第１の棚外の供給ダクトに接続される第１の接続口と、
前記第２の棚外の供給ダクトに接続される第２の接続口と、
前記第１の接続口の前記第１の棚外の供給ダクトに対する開度、および前記第２の接続口の前記第２の棚外の供給ダクトに対する開度をそれぞれ調整する開度調整手段と、
前記第１の接続口から供給された前記第１の調整用空気、および前記第２の接続口から供給された前記第２の調整用空気の少なくともいずれかを、当該棚の上方および下方の少なくともいずれかに配置された吹出口から吹き出すための棚付きの供給ダクトとを備えている収納装置。
【請求項２】
前記棚付きの供給ダクトにおいて、前記第１の接続口から供給された前記第１の調整用空気と前記第２の接続口から供給された前記第２の調整用空気とが混合される、請求項１の収納装置。
【請求項３】
前記第１の接続口および第２の接続口は、前記棚の左右方向に重ならないように配置されており、
前記棚付きの供給ダクトは、前記第１の接続口および前記第２の接続口を連結するように前記棚の左右方向に延びた混合部分と、この混合部分より前記棚の前後方向に延びて前記吹出口に繋がる、前記混合部分より断面積が小さな供給部分とを備えている、請求項２の収納装置。
【請求項４】
前記第１の接続口、前記第２の接続口、および前記混合部分は、前記棚の基端側に配置されており、
前記基端側は、前記棚を、前記第１の棚外の供給ダクト、前記第２の棚外の供給ダクト、および当該棚が配置される収納空間を形成するハウジングの少なくともいずれかに取り付ける側である、請求項３の収納装置。
【請求項５】
前記第１の棚外の供給ダクトおよび前記第２の棚外の供給ダクトに並行して配置された棚外の排気ダクトを有し、
前記棚は、左右方向に延びた棚付きの排気ダクトと、この棚付きの排気ダクトを前記棚外の排気ダクトに接続する第３の接続口とを備えている、請求項１の収納装置。
【請求項６】
前記第１の接続口、前記第２の接続口および前記第３の接続口は、前記棚の基端側に左右方向に並んで配置されており、
前記基端側は、前記棚を、前記第１の棚外の供給ダクト、前記第２の棚外の供給ダクト、および当該棚が配置される収納空間を形成するハウジングの少なくともいずれかに取り付ける側である、請求項５の収納装置。
【請求項７】
前記第１の接続口および前記第２の接続口は、前記棚の左右方向に重ならないように配置されており、さらに、前記第３の接続口は前記第１の接続口と前記第２の接続口の間に配置されている、請求項６の収納装置。
【請求項８】
前記棚付きの排気ダクトは、前記棚の基端側に配置されており、
前記基端側は、前記棚を、前記第１の棚外の供給ダクト、前記第２の棚外の供給ダクト、および当該棚が配置される収納空間を形成するハウジングの少なくともいずれかに取り付ける側である、請求項５の収納装置。
【請求項９】
前記棚は、前記第１の棚外の供給ダクト、前記第２の棚外の供給ダクト、および当該棚が配置される収納空間を形成するハウジングの少なくともいずれかに着脱する手段を備えている、請求項１の収納装置。
【請求項１０】
前記第１の接続口および前記第２の接続口にそれぞれ繋がる前記第１の棚外の供給ダクトおよび前記第２の棚外の供給ダクトのダクト側接続口は、前記棚が外れると自動的に閉じるダンパを備えている、請求項９の収納装置。
【請求項１１】
前記ダンパは、前記棚の前記開度調整手段により開度調整可能である、請求項１０の収納装置。
【請求項１２】
前記棚付きの供給ダクトは、前記第１の接続口から供給された前記第１の調整用空気または前記第２の接続口から供給された前記第２の調整用空気のいずれか一方の調整用空気を前記棚の上面から出力する第１の棚付きの供給ダクトと、他方の調整用空気を前記棚の下面から出力する第２の棚付きの供給ダクトとを備えている、請求項１の収納装置。
【請求項１３】
前記棚付きの供給ダクトは、前記棚に内蔵されている、請求項１の収納装置。
【請求項１４】
商品を陳列するための棚であって、前記商品の周囲の環境条件を制御するために第１の条件で調整された第１の調整用空気を供給する第１の棚外の供給ダクトに接続される第１の接続口と、
前記第１の条件と異なる第２の条件で調整された第２の調整用空気を供給する第２の棚外の供給ダクトに接続される第２の接続口と、
前記第１の接続口の前記第１の棚外の供給ダクトに対する開度、および前記第２の接続口の前記第２の棚外の供給ダクトに対する開度をそれぞれ調整する開度調整手段と、
前記第１の接続口から供給された前記第１の調整用空気および前記第２の接続口から供給された前記第２の調整用空気の少なくともいずれかを、当該棚の上方および下方の少なくともいずれかに配置された吹出口から吹き出すための棚付きの供給ダクトとを有する棚。
【請求項１５】
前記棚付きの供給ダクトは、前記第１の接続口から供給された前記第１の調整用空気と前記第２の接続口から供給された前記第２の調整用空気とを混合して吹き出す、請求項１４の棚。
【請求項１６】
前記第１の接続口および前記第２の接続口は、前記棚の左右方向に重ならないように配置されており、
前記棚付きの供給ダクトは、前記第１の接続口および前記第２の接続口を連結するように前記棚の左右方向に延びた混合部分と、この混合部分より前記棚の前後方向に延びて前記吹出口に繋がる、前記混合部分より断面積が小さな供給部分とを備えている、請求項１５の棚。
【請求項１７】
前記第１の接続口、前記第２の接続口、および前記混合部分は、前記棚の基端側に配置されており、
前記基端側は、当該棚を、前記第１の棚外の供給ダクト、前記第２の棚外の供給ダクト、および当該棚が配置される収納空間を形成するハウジングの少なくともいずれかに取り付ける側である、請求項１６の棚。
【請求項１８】
棚付きの排気ダクトと、
この棚付きの排気ダクトを棚外の排気ダクトに接続する第３の接続口とを備えている、請求項１４の棚。
【請求項１９】
前記棚付きの排気ダクトは、前記棚の基端側に配置されており、
前記基端側は、当該棚を、前記第１の棚外の供給ダクト、前記第２の棚外供給ダクト、および当該棚が配置される収納空間を形成するハウジングの少なくともいずれかに取り付ける側である、請求項１８の棚。
【発明の詳細な説明】
【技術分野】
【０００１】  本発明は、スーパーマーケットあるいはコンビニエンスストアなどにおいて、商品を所定の環境条件で陳列または展示できるショーケースなどの収納装置に関するものである。
【背景技術】
【０００２】  スーパーマーケットなどに、商品を陳列または展示するために設置されるショーケースとして、ケースの前面にエアーカーテンが形成され、飲料缶などの商品を冷蔵可能なオープンショーケースと称されるショーケースが知られている。特開昭５５−１６５４６８号公報に開示されたショーケースでは、棚の先端から冷気を下方に吹出し、その冷気を下段の棚の先端から吸い込むことにより棚で区切られた空間毎に個々のエアーカーテンを形成している。
【発明の開示】
【０００３】  ショーケースに、多品種の商品を展示または陳列するときに、商品毎に温度などの環境条件を変えた方が良い場合がある。特開昭５５−１６５４６８号公報の従来例に示されているような、ショーケースを１つのエアーカーテンで覆うようなものは、冷風吹出し口に近い上段の棚は良く冷え、下段の棚は冷え難いという特徴がある。したがって、冷蔵が好ましい商品は上段に配置し、冷蔵が好ましくない商品は下段に配置することが望ましい。しかしながら、上段は冷えやすく、下段は冷え難いといった程度の温度差であり、積極的な温度制御を行うことはできない。
【０００４】  一方、特開昭５５−１６５４６８号公報に記載された技術は、上の棚の先端から冷気を下に吹出し、下の棚の先端から冷気を吸い込むことにより、エアーカーテンの距離を短くし、上述したような上段は冷えやすく下段は冷え難いといった温度差を無くそうとするものである。したがって、逆に、ショーケースの内部の温度が一定になってしまい、多種類の商品を異なった温度で保存することはできない。
【０００５】  そこで、本発明においては、温度や湿度などの環境条件を１つのショーケースの収納空間を複数に分けて、自由に設定することができる収納装置を提供することを目的としている。たとえば、１つの収納装置に、冷蔵域、常温域、温蔵域といった温度の異なる環境を同時に、そしてフレキシブルに形成できる収納装置を提供することを目的としている。
【０００６】  本発明においては、温度などの条件の異なる複数の調整用空気を、商品を陳列するための棚に対し、独立に導くことにより、上記の問題を解決するようにしている。このため、本発明の収納装置は、商品を陳列するための棚と、商品の周囲の環境条件を制御するために、第１の条件で調整された第１の調整用空気を供給する第１の棚外の供給ダクトと、第１の条件と異なる第２の条件で調整された第２の調整用空気を供給する第２の棚外の供給ダクトとを有する。商品を陳列するための棚は、さらに、第１の棚外の供給ダクトに接続される第１の接続口と、第２の棚外の供給ダクトに接続される第２の接続口と、第１の接続口の第１の棚外の供給ダクトに対する開度、および第２の接続口の第２の棚外の供給ダクトに対する開度をそれぞれ調整する開度調整手段と、第１の接続口から供給された第１の調整用空気および第２の接続口から供給された第２の調整用空気の少なくともいずれかを、当該棚の上方および下方の少なくともいずれかに配置された吹出口から吹き出すための棚付きの供給ダクトとを備えている。
【０００７】  本発明の収納装置では、棚を介して第１の調整用空気および第２の調整用空気が供給される。したがって、まず、棚から吹き出される第１の調整用空気および第２の調整用空気のそれぞれの風量を、棚に設けられた開度調整手段により制御できる。このため、棚毎に異なる条件の空気を吹き出して商品の周囲に供給できるので、収納装置の収納区間に異なる環境条件で商品を展示でき、その環境条件を棚毎にフレキシブルに設定できる。さらに、収納空間を区切って冷蔵域、温蔵域を設けるとしても、棚外のダクトから単に冷風と温風とをそれぞれの領域に吹き出しただけでは冷風と温風が混合する領域ができてしまい、冷蔵域と温蔵域との間に意図しない温度領域が形成される可能性があり、収納装置内の収納空間、または貯蔵空間の利用効率が大幅に低下する。これに対し、棚を設置し、その棚から冷風あるいは温風などの適当な温度に制御された調整用空気を吹き出すことにより収納装置の収納空間を、棚単位で、異なる温度領域に区分けできる。このため、棚の上下で温度の異なる調整用空気が吹き出されていても調整用空気が混ざり合う可能性が小さく、棚が設置される収納空間を効率よく利用できる。
【０００８】  商品に対して吹き出す空気の温度を自由に設定する方法としては、冷風と温風を混合して所望の温度になった空気を供給する方法がある。収納空間に冷風と温風を個別に供給しても、収納空間内で混合させることも可能であり、収納空間のいずれかの領域で所望の温度になるかもしれない。しかしながら、少なくとも冷風と温風の供給口では温度差があり、その場所には、所望の温度で保管する商品を置くことができない。吹出口毎に冷風と温風を混合するチャンバーを、ダクト側に設けることも可能である。しかしながら、チャンバーを設けるためのスペースが必要になる。特に、収納空間をどのように区切って温度制御するかが予め分からない場合は、全ての供給口にチャンバーを接続しておかなければならない。
【０００９】  これに対し、本発明においては、棚を介して第１の調整用空気および第２の調整用空気を吹き出すようにしているので、棚の内部、すなわち、棚付きの供給ダクトを、条件の異なる調整用空気を混合して吹き出すためのチャンバーとして利用することが可能である。このため、棚により、所望の温度あるいは他の条件に合致するように混合した調整用の空気を、棚の上方あるいは下方に位置する商品に向かって吹き出すことができる。すなわち、棚付きの供給ダクトにおいて、第１の接続口から供給された第１の調整用空気と、第２の接続口から供給された第２の調整用空気を混合することにより、チャンバーを別途設けなくても、棚の単位で所望の条件の空気を吹き出すことが可能となり、ダクト側にチャンバーを配置するためのスペースが不要となる。
【００１０】  さらに、貯蔵空間を区切る棚自身を所望の条件の空気を生成する手段として使用するので、収納空間をどのように分割するかを予め決めてチャンバーなどを配置する必要もなく、収納空間を効率よく、フレキシブルに利用できる。そして、開度調整手段により、第１の調整用空気と第２の調整用空気の混合比率をフレキシブルに設定できるので、種々の条件の温度の空気を棚単位で自由に生成できる。棚付きの供給ダクトは棚の上面や裏面に配置することも可能であるし、棚に内蔵しておくことも可能である。
【００１１】  棚において、複数の調整用空気を混合して吹き出す場合、第１の接続口および第２の接続口を棚の左右方向に重ならないように配置し、棚付きの供給ダクトは、第１の接続口および第２の接続口を連結するように棚の左右方向に延びた混合部分と、この混合部分より棚の前後方向に延びて吹出口に繋がる、混合部分より断面積が小さな供給部分とを備えていることが望ましい。棚外の供給ダクトを棚の前後方向に分けて配置すると、棚の商品にアクセスする際の障害になる。したがって、棚外の供給ダクトは、棚の左右方向の端か、または、棚を取り付ける側（壁側）に左右方向に並べて配置することが望ましい。これらに対応するように第１および第２の接続口を左右方向に配置すると、混合部分が左右方向に延び、この混合部分は、各々の棚外の供給ダクトから供給された調整用空気を混合するのに適している。この混合部分より棚の前後方向に、混合部分より断面積が小さな供給部分を設けることにより、混合済み（調整済み）の調整用空気を棚全体、特に、商品が載る棚の表面全体からほぼ均等に出力できる。また、供給部分の断面積を混合部分に対して十分に小さくすることにより、混合部分における流速を遅くでき、静圧を大きくできるので、混合部分で異なる調整用空気が十分に混合して条件が均一になった調整用空気を棚から吹き出すことができる。
【００１２】  さらに、混合部分は、棚を、第１の棚外の供給ダクト、第２の棚外供給ダクト、および棚が配置される収納空間を形成するハウジングの少なくともいずれかに取り付ける側となる基端側に配置されることが望ましい。混合部分を基端側に配置した棚であれば、基端側が厚く、先端側が薄い形状を採用できる。このデザインは、棚外の供給ダクトおよび収納空間を形成するハウジングの少なくともいずれかに取り付ける、あるいは着脱する部分の強度を高くし易い。また、混合部分を基端側に配置した棚であれば、棚に供給される複数の調整用空気が棚の入口で混合されて所望の条件の調整用空気が生成され、混合された調整用空気を供給部分で棚全面に導くことができる。
【００１３】  棚に、棚付きの排気ダクトと、この棚付きの排気ダクトを棚外の排気ダクトに接続する第３の接続口を設けることも可能である。排気も棚を介して行うので、収納装置の棚以外の部分の構造をさらにシンプルにできる。収納装置においては、第１の棚外の供給ダクトおよび第２の棚外の供給ダクトに平行して棚外の排気ダクトを配置することにより、ダクトレイアウトが簡易になる。この場合、棚においては、第１の接続口、第２の接続口および第３の接続口を左右に並べて配置できる。排気のバランスを考慮すると、第３の接続口は第１の接続口と第２の接続口の間に配置することが望ましい。棚付きの排気ダクトを基端に沿って配置することで基端側の棚の断面積が大きくなるので強度が向上する。
【００１４】  複数の棚に、第１の棚外の供給ダクトおよび第２の棚外供給ダクト、および棚が配置される収納空間を形成するハウジングの少なくともいずれかに対して着脱する手段を設けておくことにより、棚により仕切られる空間の広さを商品の高さあるいは量などに応じて、収納空間内に自由に設定できる。そして、その空間を、棚から商品の周囲に吹き出される調整用空気により所望の条件に保持できる。また、棚の接続口に対応する、第１の棚外の供給ダクトおよび第２の棚外の供給ダクトの接続口にダンパを設け、それらが、棚が外れると自動的に閉じるようにしておくことにより、棚を取り付けたときにのみ、自動的に棚を介して調整用空気が吹き出される収納装置を提供できる。このため、フランジなどのジグにより、供給ダクトの接続口を１つ１つ封鎖する手間を削減できる。
【００１５】  棚が設置されていないことをセンサなどにより検出し、ダンパを自動的に制御して棚外のダクト側の接続口を開閉することが可能である。さらに、棚の開度調整手段は、第１の接続口の第１の棚外の供給ダクトに対する開度、および第２の接続口の第２の棚外の供給ダクトに対する開度をそれぞれ調整するために、棚の第１および第２の接続口の開度をそれぞれ制御するダンパを内蔵したものであっても良い。一方、棚外の供給ダクトにダンパを設けている場合は、棚側の開度調整手段により、それらのダンパを開度調整するようにすれば、棚側のダンパは不要となり、さらに、棚を外すことにより自動的に供給ダクト側のダンパが閉まるようにすることができる。
【００１６】  本発明においては、棚付きの供給ダクトの第１の接続口から供給された第１の調整用空気または第２の接続口から供給された第２の調整用空気のいずれか一方の調整用空気を棚の上面から出力する第１の棚付きの供給ダクトと、他方の調整用空気を棚の下面から出力する第２の棚付きの供給ダクトとを備えた棚を採用することも可能である。この棚であれば、１つの棚により、その棚の上下に異なる条件の調整用空気、たとえば、温風と冷風を供給できる。
【図面の簡単な説明】
【００１７】［図１］本発明に係る収納装置の概略を示す縦断面図である。
［図２］図１に示す収納装置のケースの内部の概略を、ハウジングを透かして見た斜視図である。
［図３］陳列棚の外観を示す斜視図である。
［図４］陳列棚の構造を示す断面図であり、図４（ａ）は回収口（第３の接続口）を含む部分の断面図、図４（ｂ）は温風流入口（第２の接続口）を含む部分の断面図、図４（ｃ）は冷風流入口（第１の接続口）を含む部分の断面図である。
［図５］陳列棚に設けられたダンパ開度制御装置の一例を示す図である。
［図６］ダンパ開度を制御して温蔵から冷蔵までの温度を実現する様子を示す図である。
［図７］温風を上面から吹出し、冷風を裏面から吹出す陳列棚の外観を示す斜視図である。
［図８］図７に示す陳列棚の構成を示す断面図であり、図８（ａ）は冷風流入口（第１の接続口）を含む部分の断面図、図８（ｂ）は温風流入口（第２の接続口）を含む部分の断面図である。
［図９］異なる収納装置を示す斜視図である。
【発明を実施するための最良の形態】
【００１８】  以下に図面を参照して本発明をさらに詳しく説明する。図１に本発明の収納装置の概略構成を断面図により示してある。図２に、収納装置１の内部の概略構成を、ケースの外殻を透かして見た斜視図により示してある。図２では、商品が陳列される棚を取り外した状態で示してある。収納装置１は、断熱性のハウジング２を有し、このハウジング２が陳列用ケースとなる。このハウジング２は棚が配置される収納空間を構成するためのものであり、ハウジング２の内部が、その収納空間３となっている。収納空間３には複数の陳列棚１０が上下に適当な間隔をあけて設置でき、それらの陳列棚１０により収納空間３は上下に区分けされる。これらの陳列棚１０により区分けされた複数のゾーン４のそれぞれは、陳列棚１０に陳列された商品の周囲に、商品の品質などを維持するために必要な空気を供給し、または排気するための単位として考えることができる。【００１９】  図１に示した状態では、収納空間３は、上下に配置された４段の陳列棚１０により区画化され、上下に５つのゾーン４が形成されている。最も上のゾーン４は、陳列用ケース２の天井２ｕと棚１０に挟まれた空間であり、上から２〜４番目のゾーン４は、棚１０により上下が挟まれた空間であり、最も下のゾーン４は、棚１０と陳列用ケース２の底２ｄに挟まれた空間である。この収納装置１では、陳列棚１０を介して調整用空気Ａｍが供給され、ゾーン４の内部を循環して陳列棚１０を介して吸気され、排気される。したがって、陳列棚毎に、独立したエアーサイクルを形成することが可能である。このため、陳列棚１０に陳列された商品に対し、陳列棚毎に温度、湿度などを含む環境条件を設定でき、それを維持できる。この収納装置１は、陳列用ケース２の前面２ａが開放されたオープンショーケース型でありながら、内部の収納空間３を複数に分けて、異なる条件に設定できる。【００２０】  収納装置１は、低温（第１の条件）の調整用空気（第１の調整用空気）Ａ１を供給する第１の棚外の供給ダクト１１と、高温（第２の条件）の空気（第２の調整用空気）Ａ２を供給する第２の棚外の供給ダクト１２と、排気用の棚外の排気ダクト１３とを有する。ケース２の背面となる後壁２ｂの内部は、ダクトスペース２９となっている。このダクトスペース２９に、第１の棚外の供給ダクト１１、第２の棚外の供給ダクト１２および棚外の排気ダクト１３が平行して上下に延びるように配置されている。なお、図１では、棚外供給ダクト１１、１２と棚外排気ダクト１３は、内部を流れる流体などがわかり易いように、前後に並べてあるが、実際には、これらのダクト１１から１３は、図２に示したように、幅方向または左右方向Ｗに並べて配置されている。【００２１】  収納装置１のケース２の天井２ｕと底２ｄに機械室１４および１５が形成されている。天井２ｕの機械室１４は、高温の調整用の空気Ａ２を生成するためのものであり、加熱用のヒータ１７と、棚外排気ダクト１３を介して収納空間３から吸気した空気を加熱した後に棚外供給ダクト１２を介して収納空間３に供給する送風ファン１６が設置されている。底２ｄの機械室１５は、低温の調整用の空気Ａ１を生成するためのものであり、冷却用の熱交換器１９と、棚外���気ダクト１３を介して収納空間３から吸気した空気を冷却した後に棚外供給ダクト１１を介して収納空間３に供給する送風ファン１８とが設置されている。さらに、冷風用の機械室１５には、加湿器３９が設置されており、湿度も調整できるようになっている。温風用の機械室１４の機器および冷風用の機械室１５の機器は、制御装置２０により制御され、それぞれの機械室１４および１５から所定の温度に制御された調整用の空気Ａ２およびＡ１がそれぞれの供給ダクト１２および１１に供給されるようになっている。【００２２】  低温空気Ａ１を供給する第１の棚外の供給ダクト１１には、陳列棚１０の接続口となり、陳列棚１０に低温空気Ａ１を供給する複数の供給口（供給ダクト側の接続口）２１が上下方向に一定の間隔で形成されている。高温空気Ａ２を供給する第２の棚外の供給ダクト１２にも、陳列棚１０の接続口となり、陳列棚１０に高温空気Ａ２を供給する複数の供給口（供給ダクト側の接続口）２２が上下方向に一定の間隔で形成されている。また、排気用の棚外の排気ダクト１３にも、陳列棚１０の接続口となり、陳列棚１０を介して空気を排気するための複数の回収（排気ダクト側の接続口）２３が上下方向に一定の間隔で形成されている。これらの供給口２１、２２および回収口２３は、ケース２の裏面２ｂの水平方向、すなわち、ケース２の前面２ａからアクセスするときの左右の方向Ｗに直線的に並び、重ならないように設計されている。このため、ケース２の裏面２ｂには、左右方向に供給口２１、２２および回収口２３が並んだ接続領域２８が上下に一定の間隔で配置されている。【００２３】  収納装置１では、いずれかの接続領域２８に棚１０を取り付けることにより、棚１０を介して低温空気Ａ１あるいは高温空気Ａ２を単独で、または所望の条件でミックスした状態で供給でき、また、ゾーン４から排気することができる。各々の陳列棚１０は、ケース２の裏面２ｂに設けられた取り付け用の孔２１ａおよび２２ａとの着脱する手段となる、棚１０の背面から突き出たフック１０ａを組み合わせることにより、ハウジング２の背面の任意の接続領域２８に着脱できる。【００２４】  図３に陳列棚１０の外観を斜視図により示してある。陳列棚１０は、冷風供給ダクト１１の供給口２１に繋がる冷風流入口（棚側の第１の接続口）３１と、温風供給ダクト１２の供給口２２に繋がる温風流入口（棚側の第２の接続口）３２と、これらの流入口３１および３２から供給された空気を棚１０の内部を通って吹き出す内部供給ダクト（棚付きの供給ダクト）４１を備えている。棚１０に内蔵された内部供給ダクト４１は、棚１０の表面１０ｂに設けられた複数の吹出口４２に繋がっている。複数の吹出口４２は陳列棚１０の表面１０ｂのほぼ全領域に分散して形成されている。このため、内部供給ダクト４１で選択された、または混合された空気Ａｍが、陳列棚１０の表面の商品が配置される領域において、商品の下側に配置された複数の吹出口４２から上方に吹き出される。したがって、陳列棚１０においては、所望の条件に設定された空気Ａｍが吹き出された直後に、棚１０に配置された商品と接触するように吹き出され、陳列棚１０に配置された商品は空気Ａｍが効率良く接して環境条���が維持される。棚表面１０ｂの吹出口４２は孔であっても良いし、スリットであっても良い。【００２５】  陳列棚１０は、さらに、棚外排気ダクト１３の回収口２３に繋がる排気口（棚側の第３の接続口）３３と、この排気口３３にゾーン４から吸引した空気Ａｍを排気する内部排気ダクト（棚付きの排気ダクト）４３を備えており、ダクト４３の表面にゾーン４から吸引するための複数の吸気口４５が設けられている。この内部排気ダクト４３は棚１０の基端側１０ｄに沿って、左右方向Ｗに延びている。このため、複数の吸気口４５が棚１０の基端側１０ｄに沿って左右方向に配置されており、陳列棚１０の表面１０ｂから分散して商品の周囲に吹き出された空気Ａｍは、同じ陳列棚１０の基端側１０ｄから吸い込まれて排気され、棚１０の上方に左右方向Ｗにほぼ均等に分布する調整用空気Ａｍの流れが形成される。【００２６】  図４に、陳列棚１０の内部の構成を断面図により示してある。図４（ａ）は、棚１０のほぼ中央の断面図であり、基端１０ｄのほぼ中央に位置する排気口３３が見えている。図４（ｂ）は、ケース２の前方２ａから見て（本明細書では特に断らない限り前方２ａから見た方向を示す）棚１０の左側の断面図であり、基端１０ｄの左側に位置する温風流入口３２が見えている。図４（ｃ）は、棚１０の右側の断面図であり、基端１０ｄの右側に位置する冷風流入口３１が見えている。温風流入口３２、排気口３３および冷風流入口３１はこの順番で基端１０ｄに左右方向Ｗに沿って並んで形成されており、ケース２の背面２ｂの接続領域２８の接続口２２、２３および２１に対応した配置となっている。【００２７】  冷風供給ダクト１１の供給口２１、温風供給ダクト１２の供給口２２、さらに、排気ダクト１３の回収口２３には、ダンパ５１、５２および５３が設置されており、棚１０が取り付けられていないとき、すなわち、棚１０を取り外すと、これらのダンパ５１、５２および５３がバネ５１ｂ、５２ｂおよび５３ｂにより、それぞれの供給口２２、２３および回収口２３が閉じられて給排気が行われない。一方、棚１０を取り付けると、棚１０から突き出た作動ピン６１ａ、６２ａおよび３７が、これらのダンパ５１、５２および５３を押して開け、冷風供給ダクト１１の供給口２１が冷風流入口３１と繋がり、温風供給ダクト１２の供給口２２が温風流入口３２と繋がり、さらに、排気ダクト１３の回収口２３が排気口３３と繋がる。このため、棚１０を介して収納空間３に調整用の空気Ａｍが循環する。【００２８】  さらに、供給口２１および２２にそれぞれ設置されたダンパ５１および５２を操作する作動ピン６１ａおよび６２ａの突出量は、棚１０に設けられたダンパ開度制御レバー６１および６２により制御できる。このため、各々のダンパ５１および５２の開度を制御することができ、その結果、棚１０の冷風流入口３１および温風流入口３２の開度が制御されるので、棚１０に供給される冷風Ａ１と温風Ａ２の量を制御でき、棚１０の内部で混合されて棚１０の表面から吹き出される調整用の空気Ａｍの温度を調整できる。したがって、本例の棚１０においては、ダンパ開度制御レバー６１および６２と、それらにより操作される作動ピン６１ａおよび６２ａが開度��整手段となり、供給ダクト側のダンパ５１および５２の制御することにより、棚１０の冷風流入口３１の冷風供給ダクト１１に対する開度、温風流入口３２の温風供給ダクト１２に対する開度がそれぞれ調整される。【００２９】  ダンパ開度制御レバー６１および６２はそれぞれのダクト１１および１２に対する開度を制御するが、これらを独立して操作することにより棚１０から吹き出される調整用空気Ａｍの条件はフレキシブルに制御できる。その一方で、棚１０から吹き出される風量を一定に制御することは難しくなる。各々の棚１０から吹き出される調整用空気Ａｍの量をほぼ一定にするためには、ダンパ５１および５２の合計した開度が一定となるように制御することが望ましい。そのために、ダンパ５１および５２を連動して開度調整することが望ましい。図５では、操作用レバー６１および６２をロッド６３で接続し、一方の操作用レバーを操作するだけで両方のダンパ開度を制御できるようにしている。図５において、破線で示した状態では、作動ピン６２ａが突き出て温風流入口３２の開度を制御するダンパ５２が全開になり、作動ピン６１ａは突き出ず冷風流入口３１の開度を制御するダンパ５１が全閉になる。したがって、図６の左端に示した状態となり、棚１０には温風Ａ２のみが供給され、温蔵に適した状態となる。【００３０】  一方、図５において、実線で示した状態では、作動ピン６２ａが突き出ず温風流入口３２の開度を制御するダンパ５２が全閉になり、作動ピン６１ａが突き出て冷風流入口３１の開度を制御するダンパ５１が全開になる。したがって、図６の右端に示した状態となり、棚１０には冷風Ａ１のみが供給され、冷蔵に適した状態となる。操作レバー６１または６２を動かすことにより、操作レバー６１および６２は連動して動き、温風Ａ２のみが棚１０に供給される状態から、温風Ａ２と冷風Ａ１が棚１０に供給される状態を経て、冷風Ａ１のみが棚１０に供給される状態まで、ダンパ５２および５１の開度を連続して制御できる。このため、図６の左端の温蔵の状態から右端の冷蔵の状態まで、適当な温度の空気Ａｍが得られるように適切な量の温風Ａ２と冷風Ａ１とが棚１０に供給され、内部でミックスされて表面１０ｂから吐出される。作動ピンの突出量を制御する方法は様々であり、本例のように作動ピンを旋回させても良く、前後にスライドさせても良い。【００３１】  棚１０に供給された冷風Ａ１と温風Ａ２とを混合して棚１０の表面１０ｂから吹き出す内部供給ダクト４１は、図４の各断面図に示すように、棚１０の基端側１０ｄにおいて左右方向Ｗに延びた混合部分４１ａと、この混合部分４１ａから前方に延びた供給部分４１ｂとを備えている。供給部分４１ｂは、棚１０の表面１０ｂに設けられた複数の吹出口４２に繋がり、混合された調整用空気Ａｍを吹き出す。混合部分４１ａは、冷風流入口３１および温風流入口３２に繋がっており、棚外の冷風供給ダクト１１から棚１０に供給された冷風Ａ１と、棚外の温風供給ダクト１２から棚１０に供給された温風Ａ２とを混合する。このため、混合部分４１ａの断面積（容量）を供給部分４１ｂの断面積（容量）に対して十分に大きくしている。したがって、混合部分４１ａから供給部分４１ｂに分岐す��部分の差圧が大きくなり、混合部分４１ａでは流速が十分に低くなって、混合部分４１ａにおいて冷風Ａ１と温風Ａ２とが十分に混合した空気Ａｍが供給部分４１ｂに供給される。すなわち、棚１０では、混合部分４１ａがエアチャンバーまたは混合箱として機能し、２つの空気Ａ１およびＡ２が十分に混合されてほぼ均一になった空気Ａｍが棚１０から出力される。この結果、棚１０の表面１０ｂからほぼ同じ温度の空気Ａｍを吹き出して、棚１０の上方のゾーン４の環境全体を均質な状態で一定に保持できる。【００３２】  さらに、棚１０の表面１０ｂから吹き出された空気Ａｍは、棚１０の基端１０ｄの側に位置する排気ダクト４３により回収され、棚１０の上のゾーン４に、温度および湿度といった条件が所望の条件にセットされた空気Ａｍが循環し、棚１０の上に陳列された商品を所望の環境で保持できる。棚１０に設けられた排気ダクト４３の排気口３３は左右の温風流入口３２および冷風流入口３１の間に配置されており、排気ダクト４３のほぼ中央に位置する。このため、ゾーン４から左右均等に空気Ａｍを回収することができ、その点でもゾーン４の全体状態が均一になるように設計されている。【００３３】  また、棚１０の基端１０ｄに断面積の大きな混合部分４１ａを配置することにより、棚１０の全体の形状も基端１０ｄが厚く、先端が薄い、断面がテーパー状のデザインとなる。棚１０の基端側１０ｄは棚外ダクト１１、１２および１３、またはケース２の裏面２ｂに棚１０を取り付ける部分であり、この部分の厚みを十分に確保することにより、棚１０の強度を向上でき、陳列可能な重量も十分に確保できる。さらに、棚付きの排気ダクト４３を棚１０の基端１０ｄに沿って配置することにより、陳列棚１０の基端１０ｄの厚みをさらに大きくすることができ、棚１０の強度をいっそう高めることができる。【００３４】  さらに、図４に示したように、陳列棚１０は、ほぼ凹状の棚本体５５と、棚本体５５の開口５５ａを塞ぐように取り付けられた棚板５６とを有している。棚本体５５と棚板５６で囲われた空間が内部供給ダクト４１が確保される空間となる。この空間には、結露防止用の断熱材５７が空間を上下に二分するように配置されている。断熱材５７により区分けされた上側の空間、すなわち、断熱材５７と棚板５６とにより挟まれた空間が混合部分４１ａおよび供給部分４１ｂを備えた内部供給ダクト４１となる。また、棚板５６には複数の吹出口４２が形成されており、内部供給ダクト４１で生成された空気Ａｍが棚板５６の複数の吹出口４２から商品に対して供給される。棚板５６の上には樹脂製のスノコまたはスノコ状の板５９が配置されている。スノコ状の板５９として低摩擦係数のフッ素系樹脂などを用いることにより、飲料缶などがある程度滑りやすい状態の陳列棚１０とすることができる。また、このスノコ５９は、飲料缶などの商品と吹出口４２との間に、空気Ａｍの供給が商品により遮断されない程度の距離を確保する機能も担っている。棚本体５５の前方には商品の倒れ防止用の転倒防止プレート５８が設けられている。【００３５】  このように収納装置１では、陳列棚１０を介して、条件の異なる２つの調整用空気Ａ１およびＡ２を、棚外の供給ダクト１１および１２から収納領域３に供給している。したがって、棚１０にダンパ制御機構６１および６２を設けることにより、棚１０を調整用空気Ａ１およびＡ２の流量を調整する手段として利用している。さらに、棚１０で調整用空気Ａ１およびＡ２を混合して出力するようにしているので、棚１０はチャンバーとしても利用されている。さらに、この棚１０は商品を陳列する手段であり、この棚１０により収納領域３を陳列する商品毎の領域に分けられる。したがって、本例の収納装置１においては、棚１０を介して複数の調整用空気を供給することにより、商品が陳列される棚毎に、複数種類の調整用空気の供給量および混合比率を変えることが可能となり、さらに、棚毎に複数種類の調整用空気を混合して供給することができる。このため、本例の収納装置１においては、調整用空気を供給するダクト１１および１２、さらには、収納空間を形成するハウジングまたはケース２には、複数種類の調整用空気の供給量を制御する機構、複数種類の調整用空気を混合する手段を用意する必要がなく、棚外の構成を簡易にでき、信頼性の高い収納装置を低コストで供給できる。【００３６】  その一方で、本例の棚１０は、複数種類の調整用空気量を制御する機構、複数種類の調整用空気を混合して出力する機構を備えたものになり、構造は複雑になる。しかしながら、棚１０はケース２に対して簡単に着脱できるので、メンテナンスは容易であり、万一、障害が発生したときに交換することも容易である。さらに、自ら収納空間を仕切る棚１０に調整用空気量を制御する機構および調整用空気を混合して出力する機構を搭載することにより、収納装置１の全体として、調整用空気を制御する機構および調整用空気を混合して出力する機構の数を最小限にすることができ、冗長な制御機構やダクト系を省くことができる。このため、収納領域内に異なる温度領域を自由に形成できる、または収納領域内に異なる温度領域で自由に商品を展示できる機能を備えた収納装置を低コストで提供できる。複数種類の調整用空気には温度が異なる空気だけではなく、湿度や香りなどが異なる空気であっても良い。また、陳列する商品を保持するのに適した環境条件だけではなく、季節やユーザの要望を捉えて購買意欲を増進するような環境条件など、多種多様な環境でフレキシブルに商品を展示できる非常に利便性の高い収納装置１を提供できる。【００３７】  なお、上記の陳列棚１０は、条件の異なる２種類の調整用空気Ａ１およびＡ２を混合して表面１０ｂからゾーン４に吹き出しているが、条件の異なる２種類の調整用空気を表面１０ｂと裏面１０ｃから独立して吹き出すように構成することも可能である。図７は冷風Ａ１を下面から吹出し、温風Ａ２を上面から吹き出す陳列棚７０の外観を示す斜視図である。また、図８は陳列棚７０の断面図であり、図８（ａ）は冷風Ａ１が供給される接続口３１を含む棚７０の右側の断面を示している。また、図８（ｂ）は温風Ａ２が供給される接続口３２を含む棚７０の左側の断面を示している。なお、上述した陳列棚１０と共通する部分については同一の符号を付してある。【００３８】  この陳列棚７０は、内部の空間が結露防止用の断熱材５７により上下方向に二分され、冷風Ａ１を棚板７０の裏面１０ｃから吹き出すための供給ダクト（第２の棚付き供給ダクト）７１と、温風Ａ２を棚板７０の表面１０ｂから吹き出すための供給ダクト（第１の棚付き供給ダクト）７２とを備えている。したがって、図８（ａ）に示すように、冷風流入口３１から供給された冷風Ａ１は下方の内部供給ダクト７１を通って裏面１０ｃに設けられた吹出口４７から下側の商品に供給され、棚７０の下側のゾーン４に陳列された商品を冷蔵できる。一方、温風流入口３２から供給された温風Ａ２は上方の内部供給ダクト７２を通って表面１０ｂの吹出口４２から上側の商品に供給され、棚７０の上側のゾーン４に陳列された商品を温蔵できる。したがって、棚１０で上下に隣接する温蔵用のゾーンと冷蔵用のゾーンをセパレートすることができ、冷風Ａ１と温風Ａ２が混合されてしまい、陳列に使用できない無駄な領域が発生するのを防止できる。【００３９】  この陳列棚７０を用いる収納装置においては、ケース２の裏面２ｂに排気ダクト１３に繋がる回収口を設けておくことにより、棚板７０の上方のゾーンでは温風Ａ２を循環させ、棚板７０の下方のゾーンでは冷風Ａ１を循環させることができる。【００４０】  なお、温調用空気（温風Ａ２および冷風Ａ１）を供給し、且つ回収を行う棚１０においては、冷風供給ダクト１１、温風供給ダクト１２、回収用ダクト１３と内部供給ダクト４１や排気ダクト４３を連通させ開度を制御できるように、ダクト接続部にダンパ５１、５２および５３を作動させる作動ピン６１ａ、６２ａおよび３７を設けている場合、作動ピン６１ａおよび６２ａに限らず、回収側の作動ピン３７も含めて適当なリンク機構、たとえば、ロッドによって連動させても良い。いずれかの操作レバー、もしくはそれに類する１つの操作部を操作することで、３つの作動ピンを同時に連動し、冷蔵、温蔵を切り替えたり、冷蔵と温蔵の供給比率を連続的に変化させたり、全てを全閉にして単なる陳列棚として利用することなど、様々な条件で棚を利用できる。リンク機構により、冷風用の作動ピン６１ａと温風用の作動ピン６２ａが冷風供給ダクト１１や温風供給ダクト１２に選択的に飛び出すように連動させることができる。この条件では、回収用作動ピン３７はどちらのときも飛び出している。冷蔵時、温蔵時の中間に、どのダンパも開かない、常温モードを備えることで、温調しない、常温の棚としても使用可能となる。また、棚１０がケース２に固定される収納装置においては、棚１０の内部にダンパを設け、このダンパの開度を調整するようにしても良い。この場合、ダンパ自体が開度調整手段を兼ねることが可能である。【００４１】  図９に、本発明の異なる収納装置１ａの斜視図を示してある。なお、上述した収納装置１と共通する部分には同一の符号を付してある。収納装置１は、収納空間３を構成するハウジング内に棚１０が設置されたタイプであるが、この収納装置１ａは、基礎部分となるベース８０から立ち上がった２本の支柱８１および８２に陳列棚１０が支持または取り付けられたタイプのショーケースであり、上述した収納装置１のハウジングに相当するものはなく、四方がオープンのショーケースである。これらの２本の支柱８１および８２は、支柱として陳列棚を機械的に支持すると共に、ダクトとしても機能する。たとえば、一方の支柱８２は、２本の棚外の供給ダクトとして機能し、他方の支柱８１は、棚外の排気ダクトとして機能する。１つの支柱８２が３本のダクトとして機能しても良く、あるいは、異なる支柱を異なる条件の空気を供給する供給ダクトとして利用しても良い。収納装置１ａにおいては、陳列棚１０はハウジングではなく、ダクトとして機能する支柱８１あるいは８２に取り付けられ、支柱８１および８２の側が基端側となる。この収納装置１ａでは、ベース８０の内部に熱交換器やファンなどが配置されており、この内部で生成された冷風や温風が、一方の支柱８２の２本の棚外の供給ダクトからそれぞれの陳列棚１０に供給される。そして、棚内部で混合されて表面１０ｂの複数の吹出口４２から商品に対して供給される。商品に吹き出された空気Ａｍは一方の支柱８１から他方の支柱８２に向けて延びる排気ダクト４３の吸気口４５から吸い込まれ、他方の支柱８２の棚外の排気ダクトを介してベース８０に回収される。
【図１】
2005001350.tif 000003
【図２】
2005001350.tif 000004
【図３】
2005001350.tif 000005
【図４】
2005001350.tif 000006
【図５】
2005001350.tif 000007
【図６】
2005001350.tif 000008
【図７】
2005001350.tif 000009
【図８】
2005001350.tif 000010
【図９】
2005001350.tif 000011
【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
商品を陳列するための棚と、
前記商品の周囲の環境条件を制御するために、第１の条件で調整された第１の調整用空気を供給する第１の棚外の供給ダクトと、
前記第１の条件と異なる第２の条件で調整された第２の調整用空気を供給する第２の棚外の供給ダクトとを有する収納装置であって、
前記棚は、前記第１の棚外の供給ダクトに接続される第１の接続口と、
前記第２の棚外の供給ダクトに接続される第２の接続口と、
前記第１の接続口の前記第１の棚外の供給ダクトに対する開度、および前記第２の接続口の前記第２の棚外の供給ダクトに対する開度をそれぞれ調整する開度調整手段と、
前記第１の接続口から供給された前記第１の調整用空気、および前記第２の接続口から供給された前記第２の調整用空気の少なくともいずれかを、当該棚の上方および下方の少なくともいずれかに配置された吹出口から吹き出すための棚付きの供給ダクトとを備えており、
前記棚付きの供給ダクトにおいて、前記第１の接続口から供給された前記第１の調整用空気と前記第２の接続口から供給された前記第２の調整用空気とが混合される、収納装置。
【請求項２】
前記第１の接続口および第２の接続口は、前記棚の左右方向に重ならないように配置されており、
前記棚付きの供給ダクトは、前記第１の接続口および前記第２の接続口を連結するように前記棚の左右方向に延びた混合部分と、この混合部分より前記棚の前後方向に延びて前記吹出口に繋がる、前記混合部分より断面積が小さな供給部分とを備えている、請求項１の収納装置。
【請求項３】
前記第１の接続口、前記第２の接続口、および前記混合部分は、前記棚の基端側に配置されており、
前記基端側は、前記棚を、前記第１の棚外の供給ダクト、前記第２の棚外の供給ダクト、および当該棚が配置される収納空間を形成するハウジングの少なくともいずれかに取り付ける側である、請求項２の収納装置。
【請求項４】
前記第１の棚外の供給ダクトおよび前記第２の棚外の供給ダクトに並行して配置された棚外の排気ダクトを有し、
前記棚は、左右方向に延びた棚付きの排気ダクトと、この棚付きの排気ダクトを前記棚外の排気ダクトに接続する第３の接続口とを備えている、請求項１の収納装置。
【請求項５】
前記第１の接続口、前記第２の接続口および前記第３の接続口は、前記棚の基端側に左右方向に並んで配置されており、
前記基端側は、前記棚を、前記第１の棚外の供給ダクト、前記第２の棚外の供給ダクト、および当該棚が配置される収納空間を形成するハウジングの少なくともいずれかに取り付ける側である、請求項４の収納装置。
【請求項６】
前記第１の接続口および前記第２の接続口は、前記棚の左右方向に重ならないように配置されており、さらに、前記第３の接続口は前記第１の接続口と前記第２の接続口の間に配置されている、請求項５の収納装置。
【請求項７】
前記棚付きの排気ダクトは、前記棚の基端側に配置されており、
前記基端側は、前記棚を、前記第１の棚外の供給ダクト、前記第２の棚外の供給ダクト、および当該棚が配置される収納空間を形成するハウジングの少なくともいずれかに取り付ける側である、請求項４の収納装置。
【請求項８】
前記棚は、前記第１の棚外の供給ダクト、前記第２の棚外の供給ダクト、および当該棚が配置される収納空間を形成するハウジングの少なくともいずれかに着脱する手段を備えている、請求項１の収納装置。
【請求項９】
前記第１の接続口および前記第２の接続口にそれぞれ繋がる前記第１の棚外の供給ダクトおよび前記第２の棚外の供給ダクトのダクト側接続口は、前記棚が外れると自動的に閉じるダンパを備えている、請求項８の収納装置。
【請求項１０】
前記ダンパは、前記棚の前記開度調整手段により開度調整可能である、請求項９の収納装置。
【請求項１１】
前記棚付きの供給ダクトは、前記第１の接続口から供給された前記第１の調整用空気または前記第２の接続口から供給された前記第２の調整用空気のいずれか一方の調整用空気を前記棚の上面から出力する第１の棚付きの供給ダクトと、他方の調整用空気を前記棚の下面から出力する第２の棚付きの供給ダクトとを備えている、請求項１の収納装置。
【請求項１２】
前記棚付きの供給ダクトは、前記棚に内蔵されている、請求項１の収納装置。
【請求項１３】
商品を陳列するための棚であって、前記商品の周囲の環境条件を制御するために第１の条件で調整された第１の調整用空気を供給する第１の棚外の供給ダクトに接続される第１の接続口と、
前記第１の条件と異なる第２の条件で調整された第２の調整用空気を供給する第２の棚外の供給ダクトに接続される第２の接続口と、
前記第１の接続口の前記第１の棚外の供給ダクトに対する開度、および前記第２の接続口の前記第２の棚外の供給ダクトに対する開度をそれぞれ調整する開度調整手段と、
前記第１の接続口から供給された前記第１の調整用空気および前記第２の接続口から供給された前記第２の調整用空気の少なくともいずれかを、当該棚の上方および下方の少なくともいずれかに配置された吹出口から吹き出すための棚付きの供給ダクトとを有し、
前記棚付きの供給ダクトは、前記第１の接続口から供給された前記第１の調整用空気と前記第２の接続口から供給された前記第２の調整用空気とを混合して吹き出す、棚。
【請求項１４】
前記第１の接続口および前記第２の接続口は、前記棚の左右方向に重ならないように配置されており、
前記棚付きの供給ダクトは、前記第１の接続口および前記第２の接続口を連結するように前記棚の左右方向に延びた混合部分と、この混合部分より前記棚の前後方向に延びて前記吹出口に繋がる、前記混合部分より断面積が小さな供給部分とを備えている、請求項１３の棚。
【請求項１５】
前記第１の接続口、前記第２の接続口、および前記混合部分は、前記棚の基端側に配置されており、
前記基端側は、当該棚を、前記第１の棚外の供給ダクト、前記第２の棚外の供給ダクト、および当該棚が配置される収納空間を形成するハウジングの少なくともいずれかに取り付ける側である、請求項１４の棚。
【請求項１６】
棚付きの排気ダクトと、
この棚付きの排気ダクトを棚外の排気ダクトに接続する第３の接続口とを備えている、請求項１３の棚。
【請求項１７】
前記棚付きの排気ダクトは、前記棚の基端側に配置されており、
前記基端側は、当該棚を、前記第１の棚外の供給ダクト、前記第２の棚外供給ダクト、および当該棚が配置される収納空間を形成するハウジングの少なくともいずれかに取り付ける側である、請求項１６の棚。
【国際調査報告】
2005001350.tif 000012
2005001350.tif 000013